(57)【特許請求の範囲】
【請求項１】
シャフトと動力伝達無端要素の間でトルクを伝達するデカップラ組立体であって、
シャフトに連結されたハブであって、該シャフトが前記ハブと共に回転軸線を中心に回転するように構成されたハブと、
前記ハブに対して回転可能なキャリヤと、
前記回転軸線と同心でハブ側端とキャリア側端の間に延び前記ハブとキャリアの間で回転力を伝達する捩りばねと、
前記ハブに回転可能に連結され、前記動力伝達無端要素に係合するように構成された外周部と、内周面とを有するプーリと、
被覆されていないばね鋼材料で形成され、前記プーリの内周面と直接的に摩擦係合するように構成されたクラッチばねであって、前記キャリアに固定された第１の端部と該第１の端部の反対側の第２の端部と前記第１および第２の端部の間に設けられた複数のコイルとを有するクラッチばねと、備え、
該クラッチばねは、前記キャリアから出て前記プーリの内周面に向かって延び、回転力が前記プーリからハブに伝達されたときに少なくとも１つの前記コイルが前記プーリの内周面に係合し、前記プーリが所定量を超えて前記キャリアに対して減速したことに応答して前記複数のコイルが収縮して前記複数のコイルと前記プーリの内周面との間の把持力を少なくとも減少させて前記ハブが前記プーリの速度を超えて回転できるようにし、
前記デカップラ組立体が、更に、前記クラッチばねのコイル上に配置された潤滑剤を備え、
前記プーリとハブが、環状キャビティを構成し、該環状キャビティ内に前記捩りばねと前記クラッチばねが配置され、前記捩りばねとクラッチばねは前記キャリアと前記ハブの間で軸線方向に配置されている、
ことを特徴とするデカップラ組立体。
【請求項２】
前記潤滑剤がグリースである、
請求項１に記載のデカップラ組立体。
【請求項３】
前記クラッチばねは、半径方向外方に、前記キャリアから出る、
請求項１又は２に記載のデカップラ組立体。
【請求項４】
捩りばねとクラッチばねが、反対方向に巻かれている、
請求項１又は２に記載のデカップラ組立体。
【請求項５】
前記捩りばねは、前記キャリアと前記ハブの間で伝達される回転力の大きさが増大するにつれて、巻きが解かれる、
請求項１又は２に記載のデカップラ組立体。
【請求項６】
前記キャリアおよび前記ハブの少なくとも一方が、先細りする傾斜面と、該傾斜面に直交する当接壁とを有し、
前記捩りばねが、前記当接壁のそれぞれに当接する、
請求項５に記載のデカップラ組立体。
【請求項７】
前記キャリアが、前記ハブに取付けられている、
請求項１又は２に記載のデカップラ組立体。
【請求項８】
ばね鋼材料が、前記プーリの内周面に当接する外面を有する断面形状を有し、前記外面が、前記クラッチばねから前記外面に沿って間隔をおいた複数の接触点によって前記プーリに伝達される荷重を分配する輪郭形状を有している、
請求項１又は２に記載のデカップラ組立体。
【請求項９】
前記外面が平坦な輪郭形状を有している、
請求項８に記載のデカップラ組立体。
【請求項１０】
前記ばね鋼材料が、前記プーリの内周面に当接する外面と、側面とを有する断面形状を有し、該側面は、前記外面の対向する側面に連結され平坦な形状を有している、
請求項１または２に記載のデカップラ組立体。
【請求項１１】
前記ばね鋼材料が、正方形の断面形状または矩形の断面形状を有している、
請求項９または１０に記載のデカップラ組立体。
【請求項１２】
前記捩りばねが、前記キャリアと前記ハブの間で、軸線方向に圧縮される、
請求項１または２に記載のデカップラ組立体。
【請求項１３】
前記ハブと前記プーリの間に配置されたベアリングをさらに備えている、
請求項１または２に記載のデカップラ組立体。
【請求項１４】
前記複数のコイルが互いに当接している、
請求項１または２に記載のデカップラ組立体。
【請求項１５】
前記クラッチばねの第１の端が前記キャリアに形成された螺旋溝の受け入れられている、
請求項１または２に記載のデカップラ組立体。
【請求項１６】
前記螺旋溝が、前記キャリアの軸線方向端面に形成されている、
請求項１５に記載のデカップラ組立体。
【発明の詳細な説明】
【技術分野】
【０００１】
本発明は、自動車のエンジンのベルト駆動アクセサリを駆動するベルトドライブ組立体に関し、特に、ベルト駆動アクセサリがベルトドライブ組立体とは異なる速度で一時的に動作できるようにする切離し機構に関する。
【背景技術】
【０００２】
自動車用エンジンにおいては、無端蛇行ベルトを利用してエンジン出力の一部を複数のベルト駆動アクセサリに伝達することが広く知られている。典型的には、各コンポーネントは、入力駆動シャフト及び駆動シャフトの遠位端部に結合されていて、ベルトと駆動係合するプーリを有する。かかるベルト駆動アクセサリの一例は、オルタネータである。
【０００３】
また、オルタネータの駆動シャフトがプーリよりも速い速度で「オーバーラン」又は回転することができ、プーリの速度がエンジン速度の変動に起因してオルタネータ駆動シャフトに対して変動できるようにするようプーリとオルタネータとの間に作動的に結合されたデカップラを提供することが知られている。
【０００４】
デカップラの例は、２０００年７月４日にメビッセン等に付与された特許文献１及び１９９２年８月１８日にバイツゼック等に付与された特許文献２に開示されている。
【先行技術文献】
【特許文献】
【０００５】
【特許文献１】米国特許第６，０８３，１３０号明細書
【特許文献２】米国特許第５，１３９，４６３号明細書
【発明の概要】
【発明が解決しようとする課題】
【０００６】
製造が容易であり、従来設計のデカップラと比べて耐久性が良好なデカップラを提供することが望ましい状況が続いている。
【課題を解決するための手段】
【０００７】
本発明の一特徴によれば、トルクをシャフトと駆動ベルトとの間で伝達するデカップラ組立体が提供される。デカップラ組立体は、シャフトに固定的に組み付けられるよう形作られたハブを有する。ハブには螺旋形の第１のスロットが形成されている。キャリヤがハブに回転自在に取り付けられている。キャリヤには螺旋形の第２のスロットが形成されている。捩りばねがハブ端部とキャリヤ端部との間に延びていて、トルクをハブとキャリヤとの間で伝達するようになっており、ハブ端部は、捩りばねのハブ端部とハブとの相対運動を阻止するよう螺旋形の第１のスロット内に保持され、キャリヤ端部は、捩りばねのキャリヤ端部とキャリヤとの相対運動を阻止するよう螺旋形の第２のスロット内に保持されている。プーリがハブに回転自在に結合されている。プーリは、駆動ベルトと摩擦係合するよう形作られた外周部を有する。プーリには内面が形成されている。クラッチばねがキャリヤにしっかりと固定されていて、ハブとプーリを選択的に結合するようプーリの内面と摩擦係合する複数の螺旋コイルを有する。捩りばねとクラッチばねは逆方向に巻回されていて、それによりクラッチばねがハブに対するプーリの加速中、内面と掴み係合するよう拡張でき、ハブに対するプーリの減速中、縮んで内面との掴み係合から離脱することができるようになっている。
本発明の利点は、添付の図面を参照して以下の詳細な説明を読むと一層よく理解されよう。
【図面の簡単な説明】
【０００８】
【図１】本発明の一特徴としてのデカップラ組立体を搭載した自動車のエンジンの正面図である。
【図２】デカップラ組立体の拡大部分断面図である。
【図３】デカップラ組立体のクラッチばねの斜視図である。
【図４】デカップラ組立体のクラッチばねの一端を支持するキャリヤの斜視図である。
【図５】キャリヤに組み付けられたクラッチばねの斜視図である。
【図６】本発明の第２の実施形態としてのデカップラ組立体の分解斜視図である。
【図７】本発明の第２の実施形態のデカップラ組立体の断面図である。
【図８】本発明の第３の実施形態のデカップラ組立体の断面図である。
【発明を実施するための形態】
【０００９】
図面を参照すると、図１には自動車用のエンジンが全体を符号１０で示されている。
エンジン１０は、当業者には一般に知られているように無端蛇行ベルト１４を駆動するクランクシャフト１２を有している。エンジン１０は、ベルト１４によって駆動されるベルト駆動アクセサリ１６を更に有している。以下に詳細に説明するデカップラ組立体２０が、ベルト１４とベルト駆動アクセサリ１６との間に作動的に組み込まれていて、ベルト１４がベルト駆動アクセサリ１６に対して減速すると、ベルト駆動アクセサリ１６をベルト１４から自動的に切り離したり、ベルト１４の速度がベルト駆動アクセサリ１６に対して変動することができるようにする。加うるに、デカップラ組立体の構造及び機能の詳細な説明は、２０００年７月４日に発行された本出願人の米国特許第６，０８３，１３０号明細書に見ることができ、かかる米国特許明細書の記載内容全体を本明細書の一部を形成するものとしてここに援用する。
【００１０】
図２を参照すると、デカップラ組立体２０は、互いに反対側に位置する第１の端部２４と第２の端部２６及びこれらの間で軸方向に延びる全体として円筒形の本体２８を備えたハブ２２を有している。本体２８は、ハブ２２の第１の端部２４と第２の端部２６との間に延びる互いに反対側に位置する内面３０及び外面３２を有している。内面３０は、第１の端部２４に隣接して設けられていて、ハブ２２をベルト駆動アクセサリ１６からの駆動シャフト１５にしっかりと固定する複数の雌ねじ３３を有している。縮径部分３４が、第１の端部２４に形成されている。縮径部分３４は、本体２８よりも小さな外径の外側取付け面３６を有している。第２の端部２６と反対側の当接面３８が、全体として外側取付け面３６と本体２８との間で半径方向に延びている。環状スラストワッシャ３９が、当接面３８に隣接して外側取付け面３６に装着されている。
【００１１】
受け口又はソケット４０が、ハブ２２を駆動シャフト１５に回転自在に螺着させる適当な工具を受け入れるよう第２の端部２６に形成されている。環状の第１のフランジ４１が、第２の端部２６に隣接して本体２８から半径方向外方に延びている。第１のフランジ４１は、本体２８よりも大きな外径の外側フランジ外面４２を有している。環状面４４が、第２の端部２６と反対側で本体２８とフランジ外面４２との間で全体として半径方向に延びている。全体として螺旋形の第１のスロット４６が、環状面４４に形成され、このスロットには第１の位置決め面４８が形成されている。
【００１２】
全体として円筒形のプーリ５０が、ハブ２２に対して回転自在に支承されている。より詳細に説明すると、プーリ５０は、互いに反対側に位置する第１の端部５２と第２の端部５４との間に延びている。プーリ５０は、第１の端部５２と第２の端部５４との間に延びる内面５６を有している。ボールベアリング部材５７が、プーリ５０とハブ２２との間に結合されている。ベアリング部材５７は、外側取付け面３６の一部にしっかりと固定された内レース５８及びプーリ５０の第１の端部５２に隣接して内面５６の一部にしっかりと固定された外レース５９を有している。複数のボールベアリング５５が、ベアリング部材５７の内レース５８と外レース５９との間に転動自在に嵌まっている。円筒形のブッシュ６０が、プーリ５０と第１のフランジ４１との間に支承状態で取り付けられている。ブッシュ６０は、第２の端部５４に隣接した内面５６の一部と第１のフランジ４１のフランジ外面４２との間に延びるスリーブ壁６２を有している。ブッシュフランジ６４が、スリーブ壁６２から半径方向内方に延び、第１のフランジ４１の環状面４４に当接している。
【００１３】
プーリ５０は、外周部６６を有し、この外周部にはベルト１４に転動自在に係合してこれを案内する複数のＶ字形溝６８が形成されている。
【００１４】
図２〜図５を参照すると、一方向又はオーバーラン式クラッチ組立体７０が、ハブ２２とプーリ５０との間に作動的に結合されている。クラッチ組立体７０は、クラッチばね７１及びキャリヤ７５を有している。クラッチばね７１は、曲げ又は鉤状近位端部７３と反対側の遠位端部７４との間に延びる複数の螺旋コイル７２を有している。好ましくは、クラッチばね７１は、被覆されていないばね鋼材料で作られ、摩擦接触状態を向上させるよう非円形の断面を有している。最も好ましくは、クラッチばね７１の断面は、矩形又は正方形である。クラッチばね７１は、プーリ５０の内面５６と摩擦係合するよう圧力嵌めされている。好ましくは、潤滑剤又はボールベアリング部材５７内に用いられるグリースと適合性のある類似物が、クラッチばね７１とプーリ５０の内面５６との間の摩擦を最小限に抑えるために利用される。
【００１５】
キャリヤ７５は、ハブ２２に回転自在に取り付けられている。キャリヤ７５は全体としてリングの形をしており、互いに反対側に位置する第１の側部７６と第２の側部７８との間で軸方向に延びている。鉤状スロット８４が、キャリヤ７５の第２の側部７８に形成され、この鉤状スロットは、クラッチばね７１の鉤状近位端部７３を保持するよう形作られている。全体として螺旋形の第２のスロット８６が、キャリヤ７５の第２の側部７８に形成され、この第２のスロットには、環状面４４に形成された第１の位置決め面４８と全体として向かい合った第２の位置決め面８８が形成されている。
【００１６】
図２を参照すると、螺旋捩りばね９０が、ハブ端部９２とキャリヤ端部９４との間に延びている。捩りばね９０は、トルクをハブ２２とキャリヤ７５との間で伝達するために第１の位置決め面４８と第２の位置決め面８８との間で軸方向に圧縮されている。より詳細に説明すると、捩りばね９０のハブ端部９２は、ハブ２２の第１のスロット４６内に保持されている。これと同様に、捩りばね９０のキャリヤ端部９４は、キャリヤ７５の第２の側部７８の第２のスロット８６内に保持されている。捩りばね９０の圧縮に起因する軸方向力は、キャリヤ７５の第１の側部７６をスラストワッシャ３９と当接係合状態に保持する。捩りばね９０は又、エンジンの作動速度の全体として変動する変化に起因するプーリ５０の速度の変化に順応するようキャリヤ７５とハブ２２の相対運動を可能にする。捩りばね９０とクラッチばね７１は、逆方向にコイル状になっている。
【００１７】
キャップ１００が、プーリ５０に形成されたフランジ１０２に固定的に組み付けられていて、汚染要因物がデカップラ組立体２０に入るのを阻止すると共に潤滑剤をデカップラ組立体２０内に保持するようになっている。
【００１８】
作用を説明すると、エンジン１０を始動させ、プーリ５０をエンジン１０により駆動されるベルト１４によって被動方向に加速回転させる。ハブ２２に対する被動方向へのプーリ５０の加速回転により、プーリ５０の内面５６と好ましくはクラッチばね７１のコイル７２の全てとの間に摩擦が生じる。クラッチばね７１は、開始時にクラッチばね７１のコイル７２のうち少なくとも１つがプーリ５０の内面５６と摩擦係合する場合でも機能することは理解されよう。クラッチばね７１は、プーリ５０の内面５６とコイル７２のうちの少なくとも１つとの間の摩擦によりクラッチばね７１がプーリ５０の内面５６に向かって半径方向外方に拡張してこれを掴むように螺旋コイル状になっている。ハブ２２に対する被動方向へのプーリ５０をハブ２２に対して被動方向に引き続き回転させると、コイル７２により内面５６に加えられる半径方向外方の力の全体として級数的な増大が生じ、ついにはクラッチばね７１のコイル７２が全てプーリ５０に完全に制動的に係合するようになる。クラッチばね７１を内面５６に完全に係合させると、プーリ５０の回転は、ベルト駆動アクセサリ１６の駆動シャフト１５の回転に完全に向けられる。加うるに、遠心力が、クラッチばね７１をプーリ５０の内面５６との制動的係合状態に保持するのに役立つ。
【００１９】
被動方向へのキャリヤ７５の回転運動は、捩りばね９０によりハブ２２に伝達され、一般にキャリヤ７５、スラストワッシャ３９、ハブ２２及びベルト駆動アクセサリ１６からの駆動シャフト１５がプーリ５０と一緒に回転するようになる。加うるに、捩りばね９０は、エンジン１０の作動速度の変動に起因するプーリ５０の速度の対応関係にある変動に順応するようキャリヤ７５とハブ２２の相対運動を弾性的に可能にする。
【００２０】
プーリ５０は減速すると、回転中の駆動シャフト１５及びベルト駆動アクセサリ１６内の回転中の物体と関連した慣性により駆動されるハブ２２は、プーリ５０よりも速い速度で当初被動方向に「オーバーラン」し、又は回転し続けることになる。より詳細に説明すると、プーリ５０に対するハブ２２の高い回転速度により、クラッチばね７１は、プーリ５０の内面５６に対し半径方向に縮む。クラッチばね７１とプーリ５０の制動的係合状態が解除され、それによりプーリ５０に対するハブ２２及びベルト駆動アクセサリ１６からの駆動シャフト１５のオーバーランを可能にする。コイル７２は、プーリ５０がクラッチ組立体７０及びハブ２２に対して減速している間、内面５６と摩擦係合状態のままであるのがよい。クラッチばね７１のコイル７２は、プーリ５０がハブ２２の速度を超えて加速すると、内面５６に制動的に再係合し始める。
【００２１】
図６及び図７を参照すると、第２の実施形態としてのデカップラ組立体２０′が示されており、第１の実施形態の要素と類似した第２の実施形態の要素にはプライム記号（′）が付けられている。デカップラ組立体２０′は、ベルト１４′がクランクシャフト１０６をオーバーランできるようエンジンの出力又はクランクシャフト１０６とベルト１４′との間に組み立てられている。デカップラ組立体２０′は、全体としてリング状のばね支持体１１０を有している。ハブ２２′のスロット４６′は、ばね支持体１１０を収納保持する全体としてＵ字形断面を有している。
【００２２】
第１のタブ１１２が、ばね支持体１１０から外方に延びている。第１の切欠き１１４が、捩りばね９０′のハブ端部９２′に形成されていて、第１のタブ１１２を軸方向に受け入れるようになっている。第１のタブ１１２と第１の切欠き１１４の係合により、ばね支持体１１０及びハブ２２′に対する捩りばね９０′のハブ端部９２′の相対回転運動が阻止される。これと同様に、第２のタブ１１６が、キャリヤ７５′の第２の位置決め面８８′から外方に延びている。第２の切欠き１１８が、捩りばね９０′のキャリヤ端部９４′に形成されていて、第２のタブ１１６を軸方向に受け入れるようになっている。第２のタブ１１６と第２の切欠き１１８の係合により、キャリヤ７５′に対する捩りばね９０′のキャリヤ端部９４′の相対回転運動が阻止される。
【００２３】
プーリ５０′は、ベルト１４′を受け入れる外周部１２０及び内側フランジ部分１２２を有している。内側フランジ部分１２２は、プーリ外壁１２４、プーリ内壁１２６及びこれらの間に半径方向に延びる第１の連結壁１２８によって構成された全体としてＵ字形の断面を有している。キャリヤ７５′は、プーリ５０′と一緒に回転するようプーリ外壁１２４とプーリ内壁１２６と内側フランジ部分１２２の第１の連結壁１２８との間に保持されている。第２の連結壁１３０が、外側プーリ外壁１２４と外周部１２０との間で半径方向に延びている。
【００２４】
キャリヤ７５′は、スロット又は割り部（スプリット部）１３２を有し、このスロット又は割り部は、キャリヤ７５′が撓んでデカップラ組立体２２′の回転と関連した荷重に順応するのを助ける。
【００２５】
図８を参照すると、第３の実施形態としてのデカップラ組立体２０″が示されており、かかる実施形態では、ハブ２２″の本体２８″と第１のフランジ４１″は、別々に形成され、次の組立て作業で互いに固定的に連結される。ハブ２２″の本体２８″は全体として円筒形であり、第１の端部２４″と第２の端部２６″との間に延びている。第１のフランジ４１″は、取付け部分１４０を有し、この取付け部分は、ハブ２２″のフランジ外面３６″を挿通状態で受け入れる中央ボア１４２を有している。第１のフランジ４１″は、全体として平行なフランジ内壁１３６とフランジ外壁１３８との間で半径方向に延びる端壁１３４によって構成された全体としてＵ字形の断面を有している。ばね支持体１１０″は、第１のフランジ４１″と一緒に回転するようフランジ内壁１３６とフランジ外壁１３８と端壁１３４との間に保持されている。
【００２６】
プーリ５０″の外周部１２０″と内側フランジ部分１２２″は別々に形成され、任意適当な方法、例えば溶接により次の組立て作業で互いに固定的に連結される。内側フランジ部分１２２″の全体としてＵ字形の断面は、第１のフランジ４１″に向かって開いている。キャリヤ７５″は、プーリ５０″と一緒に回転するようプーリ外壁１２４″とプーリ内壁１２６″と第１の連結壁１２８″との間に保持されている。
【００２７】
リングプレート１４３が当接面３８″に隣接して外側取付け面３６″に同心状に取り付けられている。スラストワッシャ１４４が第１のフランジ４１″とリングプレート１４３との間に設けられている。スラストワッシャ１４４は、フランジ４１″の端壁１３４から軸方向に間隔を置いていて、プーリ５０″の内側フランジ部分１２２″をかかる端壁１３４との間に受け入れるようになっている。
【００２８】
当業者には知られている捩り振動ダンパ１４６が、第１のフランジ４１″のフランジ外壁１３８にしっかりと固定されていて、エンジンの作動と関連してクランクシャフト１０６のところで生じる振動を減衰させるようになっている。
【００２９】
本発明を例示的に説明したが、用いられた用語は性質上限定ではなく説明のためのものであることは理解されるべきである。上記教示に照らして本発明の多くの改造例及び変形例を想到できる。したがって、本発明は、特許請求の範囲に記載された本発明の範囲内で具体的に説明した形態以外の形態で実施できることがわかる。
【図１】
0005620763.tif 000002
【図２】
0005620763.tif 000003
【図３】
0005620763.tif 000004
【図４】
0005620763.tif 000005
【図５】
0005620763.tif 000006
【図６】
0005620763.tif 000007
【図７】
0005620763.tif 000008
【図８】
0005620763.tif 000009